(57)【要約】【課題】センサの取り付け及び取り外しの自由度を向上させることができる蓄電装置を提供する。【解決手段】蓄電装置１であって、蓄電素子１００と、蓄電素子１００に対して取り付けられるセンサと、センサを保持する保持部材３０とを備え、保持部材３０は、センサが挿入される開口部３１ａと、センサと係合する第一係合部３３とを有し、センサは、第一係合部３３と蓄電素子１００との間で第一係合部３３と係合する第二係合部５２を有し、開口部３１ａは、保持部材３０の外面３１ｂから第二係合部５２が配置される位置までに亘って、第二係合部５２の外形よりも大きい形状を有する。【選択図】図１１
2017059503.tif 000002
【特許請求の範囲】
【請求項１】
蓄電素子と、
前記蓄電素子に対して取り付けられるセンサと、
前記センサを保持する保持部材とを備え、
前記保持部材は、前記センサが挿入される開口部と、前記センサと係合する第一係合部とを有し、
前記センサは、前記第一係合部と前記蓄電素子との間で前記第一係合部と係合する第二係合部を有し、
前記開口部は、前記保持部材の外面から前記第二係合部が配置される位置までに亘って、前記第二係合部の外形よりも大きい形状を有する
蓄電装置。
【請求項２】
前記開口部は、前記保持部材の外面から前記第二係合部が配置される位置までに亘って、前記第二係合部の外形に対応する形状を有し、
前記第二係合部は、前記開口部の前記形状を前記センサの中心軸まわりに回転した位置に配置される
請求項１に記載の蓄電装置。
【請求項３】
前記センサ及び前記保持部材の少なくとも一方は、前記センサを前記蓄電素子に向けて付勢する付勢部を有する
請求項１または２に記載の蓄電装置。
【請求項４】
前記第一係合部は、前記保持部材の前記蓄電素子側の面に形成された凹部である
請求項１〜３のいずれか１項に記載の蓄電装置。
【請求項５】
前記保持部材は、さらに、前記第二係合部を前記開口部から前記第一係合部に案内する案内部を有し、
前記案内部は、前記保持部材の前記蓄電素子側の面の前記第一係合部と前記開口部との間に形成され、かつ、前記開口部と接続された凹部である
請求項１〜４のいずれか１項に記載の蓄電装置。
【請求項６】
前記案内部は、前記保持部材の前記蓄電素子側の端面に対して傾斜した傾斜面を有する
請求項５に記載の蓄電装置。
【請求項７】
蓄電素子と、前記蓄電素子に対して取り付けられるセンサと、前記センサを保持する保持部材とを備える蓄電装置の製造方法であって、
前記蓄電素子に対して前記保持部材を取り付けた後に、前記センサの第二係合部を、前記第二係合部の外形よりも大きい形状を有する前記保持部材の開口部に沿って挿入する挿入工程と、
前記第二係合部を、前記保持部材の第一係合部と前記蓄電素子との間で前記第一係合部に係合させる係合工程と
を含む蓄電装置の製造方法。
【発明の詳細な説明】
【技術分野】
【０００１】
本発明は、蓄電素子と、当該蓄電素子に対して取り付けられるセンサとを備える蓄電装置及びその製造方法に関する。
【背景技術】
【０００２】
従来、蓄電素子を備え、サーミスタのような温度センサなどのセンサを当該蓄電素子に対して取り付けることで、当該蓄電素子の温度等を計測することができる蓄電装置が知られている（例えば、特許文献１参照）。この蓄電装置においては、サーミスタをケースユニットに取り付けた後に、当該ケースユニットを蓄電素子上に配置することにより、サーミスタが当該蓄電素子の上面に押圧される。
【先行技術文献】
【特許文献】
【０００３】
【特許文献１】特開２０１３−１５２９１８号公報
【発明の概要】
【発明が解決しようとする課題】
【０００４】
しかしながら、上記従来の蓄電装置では、センサの取り付け及び取り外しの自由度が制限されるため、蓄電装置の製造やセンサの取替などを効率的に行うことができない場合があるという問題がある。
【０００５】
つまり、上記従来の蓄電装置では、サーミスタなどのセンサを、ケースユニットなどの保持部材に保持させてから、当該保持部材を蓄電素子に対して取り付ける必要がある。また、センサを取り外す際には、蓄電素子から保持部材を取り外してから、当該保持部材からセンサを取り外す必要がある。このため、蓄電装置の製造時やセンサの取替時などにおいて、センサの取り付け及び取り外しの自由度が制限されるため、効率性が低下する虞がある。
【０００６】
本発明は、上記問題を解決するためになされたものであり、センサの取り付け及び取り外しの自由度を向上させることができる蓄電装置及びその製造方法を提供することを目的とする。
【課題を解決するための手段】
【０００７】
上記目的を達成するために、本発明の一態様に係る蓄電装置は、蓄電素子と、前記蓄電素子に対して取り付けられるセンサと、前記センサを保持する保持部材とを備え、前記保持部材は、前記センサが挿入される開口部と、前記センサと係合する第一係合部とを有し、前記センサは、前記第一係合部と前記蓄電素子との間で前記第一係合部と係合する第二係合部を有し、前記開口部は、前記保持部材の外面から前記第二係合部が配置される位置までに亘って、前記第二係合部の外形よりも大きい形状を有する。
【０００８】
これによれば、蓄電装置において、保持部材には、外面からセンサの第二係合部が配置される位置までに亘って、第二係合部の外形よりも大きい形状を有する開口部が形成されている。このため、蓄電素子に対して保持部材が取り付けられた後でも、保持部材の開口部にセンサを挿入して、保持部材の第一係合部とセンサの第二係合部とを係合させることで、センサを保持部材に取り付けることができる。また、保持部材の開口部からセンサを引き抜くことで、保持部材を蓄電素子から取り外すことなく、保持部材からセンサを取り外すことができる。このように、蓄電装置において、センサの取り付け及び取り外しの自由度を向上させることができる。
【０００９】
また、前記開口部は、前記保持部材の外面から前記第二係合部が配置される位置までに亘って、前記第二係合部の外形に対応する形状を有し、前記第二係合部は、前記開口部の前記形状を前記センサの中心軸まわりに回転した位置に配置されることにしてもよい。
【００１０】
これによれば、センサの第二係合部は、保持部材の開口部の形状をセンサの中心軸まわりに回転した位置に配置されている。つまり、センサの第二係合部を保持部材の開口部に挿入して、センサを回転させることで、第一係合部と第二係合部とを係合させることができている。
【００１１】
また、前記センサ及び前記保持部材の少なくとも一方は、前記センサを前記蓄電素子に向けて付勢する付勢部を有することにしてもよい。
【００１２】
これによれば、付勢部によってセンサを蓄電素子に向けて付勢することで、蓄電素子に対してセンサを確実に取り付けることができる。
【００１３】
また、前記第一係合部は、前記保持部材の前記蓄電素子側の面に形成された凹部であることにしてもよい。
【００１４】
これによれば、保持部材の第一係合部の凹部に、センサの第二係合部が嵌ることで、センサを保持部材に対して容易に位置決めすることができる。
【００１５】
また、前記保持部材は、さらに、前記第二係合部を前記開口部から前記第一係合部に案内する案内部を有し、前記案内部は、前記保持部材の前記蓄電素子側の面の前記第一係合部と前記開口部との間に形成され、かつ、前記開口部と接続された凹部であることにしてもよい。
【００１６】
これによれば、保持部材は、第一係合部と開口部との間に形成され、開口部と接続された凹部である案内部を有している。このため、センサの第二係合部を、保持部材の開口部から案内部にスライドさせた後に、第一係合部まで移動させることで、容易に、第二係合部を第一係合部に導くことができる。
【００１７】
また、前記案内部は、前記保持部材の前記蓄電素子側の端面に対して傾斜した傾斜面を有することにしてもよい。
【００１８】
これによれば、保持部材の案内部は傾斜面を有しているため、センサの第二係合部を当該傾斜面に沿ってスライドさせることで、容易に、第二係合部を第一係合部に導くことができる。
【００１９】
また、上記目的を達成するために、本発明の一態様に係る蓄電装置の製造方法は、蓄電素子と、前記蓄電素子に対して取り付けられるセンサと、前記センサを保持する保持部材とを備える蓄電装置の製造方法であって、前記蓄電素子に対して前記保持部材を取り付けた後に、前記センサの第二係合部を、前記第二係合部の外形よりも大きい形状を有する前記保持部材の開口部に沿って挿入する挿入工程と、前記第二係合部を、前記保持部材の第一係合部と前記蓄電素子との間で前記第一係合部に係合させる係合工程とを含む。
【００２０】
これによれば、蓄電素子に対して保持部材を取り付けた後に、センサの第二係合部を、第二係合部の外形よりも大きい形状を有する保持部材の開口部に沿って挿入し、第二係合部を保持部材の第一係合部に係合させる。つまり、蓄電素子に対して保持部材が取り付けられた後でも、保持部材の開口部にセンサを挿入して、保持部材の第一係合部とセンサの第二係合部とを係合させることで、センサを保持部材に取り付けることができる。また、センサを保持部材への取り付けと逆の順序で取り外すことで、保持部材を蓄電素子から取り外すことなく、保持部材からセンサを取り外すことができる。このように、蓄電装置において、センサの取り付け及び取り外しの自由度を向上させることができる。
【００２１】
なお、本発明は、このような蓄電装置として実現することができるだけでなく、当該蓄電装置が備えるセンサ及び保持部材としても実現することができる。
【発明の効果】
【００２２】
本発明における蓄電装置によれば、センサの取り付け及び取り外しの自由度を向上させることができる。
【図面の簡単な説明】
【００２３】
【図１】本発明の実施の形態に係る蓄電装置の外観を示す斜視図である。
【図２】本発明の実施の形態に係る蓄電装置を分解した場合の各構成要素を示す分解斜視図である。
【図３】本発明の実施の形態に係る蓄電ユニットを分解した場合の各構成要素を示す分解斜視図である。
【図４】本発明の実施の形態に係るサーミスタが保持部材に取り付けられた構成を示す斜視図である。
【図５】本発明の実施の形態に係るサーミスタの構成を示す斜視図である。
【図６Ａ】本発明の実施の形態に係る保持部材のサーミスタ取付部の構成を拡大して示す拡大斜視図である。
【図６Ｂ】本発明の実施の形態に係る保持部材のサーミスタ取付部の構成を拡大して示す拡大斜視図である。
【図７】本発明の実施の形態に係る保持部材のサーミスタ取付部の構成を詳細に示す図である。
【図８】本発明の実施の形態に係る蓄電装置の製造方法を示すフローチャートである。
【図９】本発明の実施の形態に係るサーミスタを保持部材の開口部に挿入する挿入工程を示す図である。
【図１０】本発明の実施の形態に係るサーミスタの第二係合部を保持部材の第一係合部に係合させる係合工程を示す図である。
【図１１】本発明の実施の形態に係るサーミスタが保持部材に取り付けられた状態での構成を示す図である。
【図１２】本発明の実施の形態の変形例１に係るサーミスタが保持部材に取り付けられた状態での構成を示す図である。
【図１３】本発明の実施の形態の変形例２に係るサーミスタが保持部材に取り付けられた状態での構成を示す図である。
【発明を実施するための形態】
【００２４】
以下、図面を参照しながら、本発明の実施の形態に係る蓄電装置について説明する。なお、以下で説明する実施の形態は、いずれも本発明の好ましい一具体例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。また、各図において、寸法等は厳密に図示したものではない。
【００２５】
（実施の形態）
まず、蓄電装置１の構成について、説明する。
【００２６】
図１は、本発明の実施の形態に係る蓄電装置１の外観を示す斜視図である。また、図２は、本発明の実施の形態に係る蓄電装置１を分解した場合の各構成要素を示す分解斜視図である。
【００２７】
なお、これらの図では、Ｚ軸方向を上下方向として示しており、以下ではＺ軸方向を上下方向として説明するが、使用態様によってはＺ軸方向が上下方向にならない場合も考えられるため、Ｚ軸方向は上下方向となることには限定されない。以下の図においても、同様である。
【００２８】
蓄電装置１は、外部からの電気を充電し、また外部へ電気を放電することができる装置である。例えば、蓄電装置１は、電力貯蔵用途や電源用途などに使用される電池モジュールである。図１及び図２に示すように、蓄電装置１は、第一外装体１１と第二外装体１２とからなる外装体１０、及び、外装体１０内方に収容される蓄電ユニット２０と保持部材３０とバスバー４１、４２とサーミスタ５０等を備えている。
【００２９】
外装体１０は、蓄電装置１の外装体を構成する矩形状（箱状）の容器（モジュールケース）である。つまり、外装体１０は、蓄電ユニット２０、保持部材３０、バスバー４１、４２及びサーミスタ５０の外方に配置され、この蓄電ユニット２０等を所定の位置に配置し、蓄電ユニット２０等を衝撃などから保護する。また、外装体１０は、例えばポリカーボネート（ＰＣ）、ポリプロピレン（ＰＰ）、ポリエチレン（ＰＥ）、ポリフェニレンサルファイド樹脂（ＰＰＳ）、ポリブチレンテレフタレート（ＰＢＴ）またはＡＢＳ樹脂等の絶縁性の樹脂材料により構成されている。外装体１０は、これにより、蓄電ユニット２０等が外部の金属部材などに接触することを回避する。
【００３０】
ここで、外装体１０は、外装体１０の蓋体を構成する第一外装体１１と、外装体１０の本体を構成する第二外装体１２とを有している。第一外装体１１は、第二外装体１２の開口を閉塞する扁平な矩形状のカバー部材であり、正極外部端子１３と負極外部端子１４とが設けられている。蓄電装置１は、この正極外部端子１３と負極外部端子１４とを介して、外部からの電気を充電し、また外部へ電気を放電する。また、第二外装体１２は、開口が形成された有底矩形筒状のハウジングであり、蓄電ユニット２０、保持部材３０、バスバー４１、４２及びサーミスタ５０等を収容する。
【００３１】
なお、第一外装体１１と第二外装体１２とは、同じ材質の部材で形成されていてもよいし、異なる材質の部材で形成されていてもかまわない。
【００３２】
また、第一外装体１１の内方には、回路基板やリレーなどの電気機器が配置されているが、当該電気機器の図示は省略する。つまり、第一外装体１１は、上下方向（Ｚ軸方向）に２つの部材に分離可能に構成されており、当該２つの部材の間に、当該電気機器が配置されている。これにより、電気機器は、衝撃などから保護されるとともに、外部の金属部材などに接触することが回避される。
【００３３】
なお、当該回路基板には、例えば、配線によって後述の蓄電ユニット２０内の蓄電素子１００に接続され、当該蓄電素子１００の充電状態や放電状態、電圧値、電流値、温度などの各種情報を取得し、監視し、制御したり、リレーのオン、オフを制御したり、他の機器と通信を行ったりするための制御回路が設けられている。ここで、上記の蓄電素子１００の温度とは、サーミスタ５０を用いて得られる温度である。つまり、制御回路は、蓄電素子１００に当接して設けられたサーミスタ５０と配線（リード線）を介して接続されており、サーミスタ５０から伝達される情報（抵抗値）を温度に変換することによって蓄電素子１００の温度を取得する。詳細については、後述する。
【００３４】
蓄電ユニット２０は、複数の蓄電素子１００（本実施の形態では、１２個の蓄電素子１００）と複数のバスバー２００とを有しており、第一外装体１１に設けられた正極外部端子１３と負極外部端子１４とに電気的に接続される。つまり、複数の蓄電素子１００のうちのいずれかの蓄電素子１００の正極端子が、バスバー２００を介して、正極外部端子１３と電気的に接続される。また、複数の蓄電素子１００のうちのいずれかの蓄電素子１００の負極端子が、バスバー２００を介して、負極外部端子１４と電気的に接続される。
【００３５】
また、蓄電ユニット２０は、複数の蓄電素子１００が縦置きになった状態でＸ軸方向に並べられて、第二外装体１２内に配置される。そして、蓄電ユニット２０は、上方から第一外装体１１が被せられて、外装体１０の内方に収容される。なお、蓄電ユニット２０の詳細な構成の説明については、後述する。
【００３６】
保持部材３０は、バスバー４１、４２や、その他リレーなどの電装部品、配線類等（図示せず）を保持し、当該バスバー４１、４２等と他の部材との絶縁、及び、当該バスバー４１、４２等の位置規制を行うことができる電装品トレーである。特に、保持部材３０は、バスバー４１、４２を、蓄電ユニット２０内のバスバー２００、正極外部端子１３及び負極外部端子１４に対して位置決めする。
【００３７】
具体的には、保持部材３０は、蓄電ユニット２０の上方（Ｚ軸方向プラス側）に載置され、蓄電ユニット２０に対して位置決めされる。また、保持部材３０上に、バスバー４１、４２が載置されて位置決めされる。また、保持部材３０上に、第一外装体１１が配置される。これにより、バスバー４１、４２は、蓄電ユニット２０内のバスバー２００と、第一外装体１１に設けられた正極外部端子１３及び負極外部端子１４とに対して位置決めされる。
【００３８】
また、保持部材３０は、サーミスタ５０を保持する機能も有している。つまり、保持部材３０には開口部が形成されており、当該開口部にサーミスタ５０を挿入して回転させることで、サーミスタ５０を蓄電素子１００に対して位置決めし、かつ、蓄電素子１００に対して押圧した状態で固定する。このサーミスタ５０が保持部材３０に取り付けられる構成の詳細な説明については、後述する。
【００３９】
なお、保持部材３０は、例えばＰＣ、ＰＰ、ＰＥ、ＰＰＳ、ＰＢＴまたはＡＢＳ樹脂等の絶縁性の樹脂材料により形成されているが、絶縁性を有する部材であればどのような材質で形成されていてもかまわない。
【００４０】
バスバー４１、４２は、蓄電ユニット２０内のバスバー２００と、第一外装体１１に設けられた正極外部端子１３及び負極外部端子１４とを電気的に接続する。つまり、バスバー４１は、蓄電ユニット２０内の一端に配置されたバスバー２００と正極外部端子１３とを電気的に接続する導電性の部材であり、バスバー４２は、蓄電ユニット２０内の他端に配置されたバスバー２００と負極外部端子１４とを電気的に接続する導電性の部材である。
【００４１】
なお、バスバー４１、４２は、導電性の部材として、例えば銅で形成されているが、バスバー４１、４２の材質は特に限定されない。また、バスバー４１、４２は、同じ材質の部材で形成されていてもよいし、異なる材質の部材で形成されていてもかまわない。
【００４２】
サーミスタ５０は、蓄電素子１００に対して取り付けられる温度センサである。つまり、サーミスタ５０は、蓄電素子１００の蓋部に押圧された状態で取り付けられて、蓄電素子１００の温度を計測する。本実施の形態では、２つの蓄電素子１００に対して２つのサーミスタ５０が配置されている。
【００４３】
具体的には、サーミスタ５０は、保持部材３０が蓄電素子１００に取り付けられた後に、保持部材３０に取り付けられることで、蓄電素子１００に対して位置決めされ、かつ、蓄電素子１００に押圧されて配置される。なお、サーミスタ５０が温度を計測する原理については、従来のサーミスタと同様であるため、詳細な説明は省略する。また、サーミスタ５０の構成の詳細な説明、及び、サーミスタ５０が蓄電素子１００に対して取り付けられる構成の詳細な説明については、後述する。
【００４４】
次に、蓄電ユニット２０の構成について、詳細に説明する。
【００４５】
図３は、本発明の実施の形態に係る蓄電ユニット２０を分解した場合の各構成要素を示す分解斜視図である。
【００４６】
同図に示すように、蓄電ユニット２０は、複数の蓄電素子１００と、複数のバスバー２００と、複数のスペーサ３００（複数のスペーサ３１０及び一対のスペーサ３２０）と、一対の挟持部材４００と、複数の拘束部材５００と、バスバーフレーム６００と、遮熱プレート７００とを備えている。
【００４７】
蓄電素子１００は、電気を充電し、また、電気を放電することのできる二次電池（単電池）であり、より具体的には、リチウムイオン二次電池などの非水電解質二次電池である。蓄電素子１００は、扁平な矩形状を有しており、スペーサ３１０に隣接して配置されている。つまり、複数の蓄電素子１００のそれぞれが、複数のスペーサ３１０のそれぞれと交互に配置され、Ｘ軸方向に並べられている。本実施の形態では、１２個の蓄電素子１００が１１個のスペーサ３１０と交互に隣接して配置されている。なお、蓄電素子１００は、非水電解質二次電池には限定されず、非水電解質二次電池以外の二次電池であってもよいし、キャパシタであってもよい。
【００４８】
また、同図に示すように、蓄電素子１００は、容器１１０、正極端子１２０及び負極端子１３０を備えている。なお、容器１１０内方には、電極体（発電要素）及び集電体（正極集電体及び負極集電体）等が配置され、また、電解液（非水電解質）などの液体が封入されているが、詳細な説明は省略する。
【００４９】
容器１１０は、金属からなる矩形筒状で底を備える容器本体と、当該容器本体の開口を閉塞する金属製の蓋部とで構成されている。また、容器１１０は、電極体等を内部に収容後、蓋部と容器本体とが溶接等されることにより、内部を密封することができるものとなっている。このように、容器１１０は、同図のＺ軸方向プラス側に蓋部、Ｘ軸方向両側の側面に長側面、Ｙ軸方向両側の側面に短側面、Ｚ軸方向マイナス側に底面を有する直方体形状の容器である。なお、容器１１０の材質は、特に限定されないが、例えばステンレス鋼、アルミニウム、アルミニウム合金など溶接可能な金属であるのが好ましい。
【００５０】
正極端子１２０は、正極集電体を介して、電極体の正極に電気的に接続された電極端子であり、負極端子１３０は、負極集電体を介して、電極体の負極に電気的に接続された電極端子であり、いずれも容器１１０の蓋部に取り付けられている。つまり、正極端子１２０及び負極端子１３０は、電極体に蓄えられている電気を蓄電素子１００の外部空間に導出し、また、電極体に電気を蓄えるために蓄電素子１００の内部空間に電気を導入するための金属製の電極端子である。本実施の形態では、蓄電素子１００は、正極端子１２０及び負極端子１３０を上方に向けた状態で配置されている。
【００５１】
バスバー２００は、蓄電ユニット２０内の複数の蓄電素子１００のそれぞれと電気的に接続されるバスバーである。つまり、バスバー２００は、複数の蓄電素子１００が有するそれぞれの電極端子と電気的に接続される導電性の部材であり、当該複数の蓄電素子１００が有するいずれかの電極端子同士を電気的に接続する。具体的には、バスバー２００は、複数の蓄電素子１００が有するそれぞれの電極端子の表面上に配置され、当該電極端子に接続（接合）される。
【００５２】
本実施の形態では、５枚のバスバー２００が配置されており、１２個の蓄電素子１００は、当該５枚のバスバー２００によって、並列に接続された３つずつの蓄電素子１００の組が、４組直列に接続された構成となっている。また、端部に配置されるバスバー２００は、上述のバスバー４１、４２と接続され、これによって、正極外部端子１３及び負極外部端子１４と電気的に接続される。
【００５３】
なお、バスバー２００は、導電性の部材として、例えばアルミニウムで形成されているが、バスバー２００の材質は特に限定されない。また、バスバー２００は、全てが同じ材質の部材で形成されていてもよいし、いずれかのバスバーが異なる材質の部材で形成されていてもかまわない。
【００５４】
スペーサ３００は、複数のスペーサ３１０と一対のスペーサ３２０とを有しており、例えばＰＣ、ＰＰ、ＰＥ、ＰＰＳ、ＰＢＴまたはＡＢＳ樹脂等の絶縁性の樹脂により形成されている。なお、スペーサ３１０及び３２０は、絶縁性を有する部材であればどのような材質で形成されていてもよく、また、全てが同じ材質の部材で形成されていてもよいし、いずれかのスペーサが異なる材質の部材で形成されていてもかまわない。
【００５５】
スペーサ３１０は、蓄電素子１００の側方（Ｘ軸方向プラス側またはマイナス側）に配置される、当該蓄電素子１００と他の部材とを絶縁する板状部材である。つまり、スペーサ３１０は、隣り合う２つの蓄電素子１００の間に配置され、当該２つの蓄電素子１００間を絶縁する。本実施の形態では、１２個の蓄電素子１００のそれぞれの蓄電素子１００の間に、１１枚のスペーサ３１０が配置されている。
【００５６】
また、スペーサ３１０は、蓄電素子１００の正面側または背面側の略半分（Ｘ軸方向に２つに分けた場合の略半分）を覆うように、形成されている。つまり、スペーサ３１０の正面側または背面側の両面（Ｘ軸方向の両面）には凹部が形成されており、当該凹部に上記の蓄電素子１００の略半分が挿入される。このような構成により、蓄電素子１００の側方のスペーサ３１０が、蓄電素子１００のほとんどの部分を覆うこととなるので、スペーサ３１０によって、蓄電素子１００と他の導電性部材との間の絶縁性を向上させることができている。なお、スペーサ３１０は、サーミスタ５０が蓄電素子１００に当接できるように、蓄電素子１００のサーミスタ５０が位置する部分は覆わないように形成されている。
【００５７】
スペーサ３２０は、後述する挟持部材４００と外装体１０との間に配置され、挟持部材４００と外装体１０との間を絶縁する板状部材である。また、スペーサ３２０は、外装体１０に外部から衝撃が加えられた場合等に、蓄電ユニット２０を保護する緩衝部材としての機能も有する。つまり、一対のスペーサ３２０が一対の挟持部材４００を両側から挟み込むようにして当該一対の挟持部材４００と外装体１０との間に配置されており、蓄電ユニット２０内の蓄電素子１００等を絶縁し、かつ、外部からの衝撃から保護する。
【００５８】
挟持部材４００及び拘束部材５００は、蓄電素子１００の電極体の積層方向において、蓄電素子１００を外方から圧迫する部材である。つまり、挟持部材４００及び拘束部材５００は、複数の蓄電素子１００を当該積層方向の両側から挟み込むことで、複数の蓄電素子１００に含まれるそれぞれの蓄電素子１００を両側から圧迫する。なお、蓄電素子１００の電極体の積層方向とは、電極体の正極、負極及びセパレータが積層される方向であり、複数の蓄電素子１００の並び方向（Ｘ軸方向）と同じ方向である。つまり、複数の蓄電素子１００は、当該積層方向に配列されている。
【００５９】
具体的には、挟持部材４００は、複数の蓄電素子１００のＸ軸方向両側に配置された平板状部材（エンドプレート）であり、複数の蓄電素子１００及び複数のスペーサ３１０を、当該複数の蓄電素子１００及び複数のスペーサ３１０の並び方向（Ｘ軸方向）の両側から挟み込んで保持する。なお、挟持部材４００は、強度の観点等から、例えばステンレスやアルミニウム等の金属製（導電性）の部材で形成されているが、これに限定されず、例えば強度の高い絶縁性の部材で形成されていてもよい。
【００６０】
拘束部材５００は、両端が挟持部材４００に取り付けられて、複数の蓄電素子１００を拘束する長尺状かつ平板状の部材（拘束バー）である。つまり、拘束部材５００は、当該複数の蓄電素子１００及び複数のスペーサ３１０を跨ぐように配置され、当該複数の蓄電素子１００及び複数のスペーサ３１０に対してこれらの並び方向（Ｘ軸方向）における拘束力を付与する。
【００６１】
本実施の形態では、複数の蓄電素子１００の両側方（Ｙ軸方向両側）に２つの拘束部材５００が配置されており、当該２つの拘束部材５００で当該複数の蓄電素子１００を当該両側方から挟み込んで拘束する。なお、拘束部材５００は、挟持部材４００と同様に、例えばステンレスやアルミニウム等の金属製の部材で形成されているのが好ましいが、金属以外の部材で形成されていてもかまわない。
【００６２】
バスバーフレーム６００は、バスバー２００と他の部材との絶縁、及び、バスバー２００の位置規制を行うことができる部材である。特に、バスバーフレーム６００は、バスバー２００を、蓄電ユニット２０内の複数の蓄電素子１００に対して位置決めする。
【００６３】
具体的には、バスバーフレーム６００は、複数の蓄電素子１００の上方（Ｚ軸方向プラス側）に載置され、複数の蓄電素子１００に対して位置決めされる。また、バスバーフレーム６００上には、バスバー２００が載置されて位置決めされる。これにより、バスバー２００は、複数の蓄電素子１００に対して位置決めされ、そして、バスバーフレーム６００に形成された貫通孔であるバスバー用開口部６１０を介して、当該複数の蓄電素子１００が有するそれぞれの電極端子に接合される。なお、バスバーフレーム６００は、例えばＰＣ、ＰＰ、ＰＥ、ＰＰＳ、ＰＢＴまたはＡＢＳ樹脂等の絶縁性の樹脂材料により形成されているが、絶縁性を有する部材であればどのような材質で形成されていてもかまわない。
【００６４】
また、バスバーフレーム６００には、２つのサーミスタ５０が挿入される貫通孔である２つのサーミスタ用開口部６２０が形成されている。２つのサーミスタ５０は、この２つのサーミスタ用開口部６２０にそれぞれ挿入されて、蓄電素子１００の容器１１０の蓋部に当接する。
【００６５】
遮熱プレート７００は、蓄電素子１００の安全弁の排気の流路の内方に配置される断熱性を有する板状の部材である。具体的には、遮熱プレート７００は、蓄電素子１００の安全弁の上方に位置するように、バスバーフレーム６００の上方に配置される。つまり、遮熱プレート７００は、異常時等に蓄電素子１００の安全弁からガスが排出された場合に、蓄電ユニット２０の上方に配置される回路基板等の電気機器を当該ガスの熱から保護する。なお、遮熱プレート７００は、本実施の形態では、熱伝導性の低いステンレスなどの金属材料で形成されているが、これに限定されず、耐熱性が高く熱伝導性の低い材料であればよく、例えばガラス繊維で強化されたＰＰＳやＰＢＴ等の樹脂、あるいはセラミック等で形成されていてもかまわない。
【００６６】
以上のように構成された蓄電装置１において、サーミスタ５０が保持部材３０に取り付けられる構成（つまり、サーミスタ５０が蓄電素子１００に対して取り付けられる構成）について、以下に詳細に説明する。
【００６７】
図４は、本発明の実施の形態に係るサーミスタ５０が保持部材３０に取り付けられた（サーミスタ５０が蓄電素子１００に対して取り付けられた）構成を示す斜視図である。
【００６８】
同図に示すように、２つのサーミスタ５０が保持部材３０に取り付けられることで、当該２つのサーミスタ５０が２つの蓄電素子１００に対して取り付けられる。これにより、サーミスタ５０のそれぞれは、取り付けられたそれぞれの蓄電素子１００の温度を計測することができる。なお、サーミスタ５０の個数は、２つには限定されず、１つまたは３つ以上設けられていてもよく、温度を計測したい蓄電素子１００の個数や蓄電素子１００の温度計測位置などによって適宜決定される。
【００６９】
ここで、同図において、保持部材３０のサーミスタ５０が取り付けられる部分を、サーミスタ取付部Ａとして示している。以下では、サーミスタ５０の構成、及び、この保持部材３０のサーミスタ取付部Ａの構成について、詳細に説明する。
【００７０】
図５は、本発明の実施の形態に係るサーミスタ５０の構成を示す斜視図である。
【００７１】
また、図６Ａ及び図６Ｂは、本発明の実施の形態に係る保持部材３０のサーミスタ取付部Ａの構成を拡大して示す拡大斜視図である。具体的には、図６Ａは、図４に示されたサーミスタ取付部Ａを上方から見た場合の拡大斜視図であり、図６Ｂは、当該サーミスタ取付部Ａを下方から見た場合の拡大斜視図である。
【００７２】
また、図７は、本発明の実施の形態に係る保持部材３０のサーミスタ取付部Ａの構成を詳細に示す図である。具体的には、図７の（ａ）は、図４に示されたサーミスタ取付部ＡをＺ軸方向プラス側から見た場合の平面図であり、図７の（ｂ）は、当該サーミスタ取付部ＡをＸＺ平面に平行な面で切断した場合の断面図である。
【００７３】
まず、図５に示すように、サーミスタ５０は、サーミスタ５０の本体である柱部５１と、柱部５１から突出した第二係合部５２とを有している。また、柱部５１の上部には、リード線５３が接続されている。
【００７４】
柱部５１は、サーミスタ素子本体を内蔵した円柱形状の部位である。具体的には、柱部５１の外殻は、例えばアルミニウムで形成されており、柱部５１の内方に当該サーミスタ素子本体が収容され、樹脂が注入されて、当該サーミスタ素子本体が埋設されている。なお、柱部５１の形状は、円柱形状には限定されず、角柱形状、円錐形状、角錐形状などであってもかまわない。また、柱部５１内方への当該サーミスタ素子本体の収容方法についても、限定されず、従来の構成等が適宜選択される。
【００７５】
また、リード線５３は、柱部５１内方の当該サーミスタ素子本体に接続されて、柱部５１の上部から突出して延びている。つまり、リード線５３は、一端が柱部５１に接続され、他端が第一外装体１１内方に配置された回路基板に接続されるケーブルであり、当該サーミスタ素子本体の抵抗値を当該回路基板に伝達する。つまり、サーミスタ素子本体は、温度に対応して抵抗値が変化する電気抵抗素子であり、蓄電素子１００の温度に応じた当該サーミスタ素子本体の抵抗値が当該回路基板に伝達され、当該回路基板は、取得した抵抗値を温度に変換する。なお、同図では、リード線５３の一端が柱部５１に接続されている構成を示し、リード線５３の他端が回路基板に接続されている構成は省略しているが、当該他端は当該回路基板に直接接続されていてもよいし、他の配線を介して接続されていてもよい。
【００７６】
第二係合部５２は、柱部５１の下端部（Ｚ軸方向マイナス側の端部）から外方に向けて突出した平板状の突出部である。具体的には、第二係合部５２は、柱部５１の両側（同図では、Ｘ軸方向両側）から突出する２つの突出部を有している。なお、本実施の形態では、第二係合部５２は、柱部５１と一体成形されているが、柱部５１と別体で形成されていてもかまわない。つまり、本実施の形態では、第二係合部５２は、柱部５１と同じ材質（例えばアルミニウム）で形成されているが、柱部５１と異なる材質で形成されていてもかまわない。
【００７７】
また、第二係合部５２は、外形が後述の保持部材３０の開口部３１ａに対応する形状（開口部３１ａよりも小さい形状）を有しており、当該開口部３１ａに挿入される。また、第二係合部５２は、後述の保持部材３０の第一係合部３３と蓄電素子１００との間で、第一係合部３３と係合する。詳細については、後述する。なお、第二係合部５２の形状及び個数は上記には限定されず、保持部材３０の開口部３１ａに挿入され第一係合部３３と係合されて蓄電素子１００に対して取付可能な形状及び個数であればよい。
【００７８】
また、図６Ａ、図６Ｂ及び図７に示すように、保持部材３０は、サーミスタ取付部Ａにおいて、上面３０ａから凹んだ位置（下面３０ｂから突出した位置）に、サーミスタ挿入部３１と、付勢部３２と、第一係合部３３と、案内部３４とを有している。
【００７９】
サーミスタ挿入部３１は、サーミスタ５０が挿入される部位であり、保持部材３０の裏面側から、上方に向けて突出して形成された略円筒形状の部位である。つまり、サーミスタ挿入部３１には、サーミスタ５０が挿入される開口部３１ａが形成されている。開口部３１ａは、サーミスタ５０が挿入される挿入経路を形成する部位であり、当該挿入経路を囲うサーミスタ挿入部３１の内壁面で構成される部位である。
【００８０】
ここで、開口部３１ａは、保持部材３０の外面からサーミスタ５０の第二係合部５２が配置される位置までに亘って、第二係合部５２の外形よりも大きい形状を有している。具体的には、開口部３１ａは、保持部材３０の外面から第二係合部５２が配置される位置までに亘って、第二係合部５２の外形に対応する形状を有している。
【００８１】
つまり、開口部３１ａは、保持部材３０のサーミスタ挿入部３１の外面３１ｂからサーミスタ５０の第二係合部５２が配置される位置であるサーミスタ挿入部３１の内面３１ｃまでに亘って、第二係合部５２の外形よりも大きい形状を有している。具体的には、開口部３１ａは、サーミスタ挿入部３１の外面３１ｂから内面３１ｃまでに亘って、第二係合部５２の外形に対応する形状を有している。なお、外面３１ｂは、サーミスタ挿入部３１の外側（Ｚ軸方向プラス側）の面であり、内面３１ｃは、サーミスタ挿入部３１の内側（Ｚ軸方向マイナス側）の面である。
【００８２】
ここで、「開口部３１ａが第二係合部５２の外形に対応する形状を有する」とは、開口部３１ａが第二係合部５２を挿入（通過）可能な形状であることをいう。つまり、開口部３１ａの開口のうち最も小さな開口の大きさが、第二係合部５２の外形とほぼ同じ形状であるか、当該外形よりも少し大きい形状であることをいう。本実施の形態では、サーミスタ挿入部３１の下部における開口部３１ａの形状が、第二係合部５２の外形とほぼ同じ形状、または当該外形よりも少し大きい形状を有している。また、サーミスタ挿入部３１の当該下部よりも上側の部分においては、第二係合部５２の幅とほぼ同じか、当該幅よりも広い開口（溝部）が形成されており、第二係合部５２が挿入（通過）可能な構成となっている。
【００８３】
付勢部３２は、サーミスタ５０を蓄電素子１００に向けて付勢する部位であり、サーミスタ挿入部３１に接続されて配置されている。具体的には、付勢部３２は、サーミスタ挿入部３１の下部の外周を囲って当該下部に接続され、かつ、当該下部からサーミスタ挿入部３１の中央部まで延び、さらに、下方へ向けて湾曲した形状を有している。この構成により、付勢部３２は、弾性を有する部位となっている。
【００８４】
つまり、付勢部３２は、サーミスタ挿入部３１が上方（または下方）へ移動した場合に、サーミスタ挿入部３１を下方（または上方）へ押し戻す付勢力を与える。具体的には、サーミスタ挿入部３１にサーミスタ５０が挿入されて、サーミスタ挿入部３１が上方へ押し上げられた場合に、付勢部３２は、サーミスタ５０をサーミスタ挿入部３１とともに下方の蓄電素子１００に向けて付勢する。
【００８５】
第一係合部３３は、サーミスタ５０と係合する部位である。具体的には、第一係合部３３は、保持部材３０の蓄電素子１００側の面に形成された凹部であり、サーミスタ５０の第二係合部５２と係合する。つまり、第一係合部３３は、サーミスタ挿入部３１の内面３１ｃに形成された矩形状の凹部であり、第二係合部５２と嵌合するように、第二係合部５２の幅とほぼ同じ幅を有している。なお、サーミスタ５０の回転止めのために、第一係合部３３は、第二係合部５２と嵌合する構成の方が好ましいが、必ずしも第二係合部５２と嵌合する必要はなく、サーミスタ５０と係合可能な形状であればよい。
【００８６】
案内部３４は、サーミスタ５０の第二係合部５２を、開口部３１ａから第一係合部３３に案内する部位である。具体的には、案内部３４は、保持部材３０の蓄電素子１００側の面の第一係合部３３と開口部３１ａとの間に形成され、かつ、開口部３１ａと接続された凹部である。また、案内部３４は、保持部材３０の蓄電素子１００側の端面に対して傾斜した傾斜面を有している。
【００８７】
つまり、案内部３４は、サーミスタ挿入部３１の内面３１ｃに、開口部３１ａから第一係合部３３に向けて延びるように形成された凹部である。また、案内部３４は、サーミスタ挿入部３１の内面３１ｃに対して傾斜した傾斜面、つまり、開口部３１ａから第一係合部３３に向けて下方に傾斜した傾斜面を有している。この構成により、案内部３４は、開口部３１ａに挿入された第二係合部５２を、第一係合部３３まで円滑に導くことができる。
【００８８】
次に、蓄電装置１を製造する際（またはサーミスタ５０を取り替える際）に、サーミスタ５０を保持部材３０に取り付ける方法（サーミスタ５０を蓄電素子１００に対して取り付ける方法）について、詳細に説明する。
【００８９】
図８は、本発明の実施の形態に係る蓄電装置１の製造方法を示すフローチャートである。具体的には、同図は、蓄電装置１の製造方法のうち、サーミスタ５０を保持部材３０に取り付ける方法（サーミスタ５０を蓄電素子１００に対して取り付ける方法）を示すフローチャートである。
【００９０】
また、図９は、本発明の実施の形態に係るサーミスタ５０を保持部材３０の開口部３１ａに挿入する挿入工程を示す図である。また、図１０は、本発明の実施の形態に係るサーミスタ５０の第二係合部５２を保持部材３０の第一係合部３３に係合させる係合工程を示す図である。
【００９１】
また、図１１は、本発明の実施の形態に係るサーミスタ５０が保持部材３０に取り付けられた状態での構成を示す図である。具体的には、図１０の（ａ）は、サーミスタ５０が保持部材３０に取り付けられた状態での構成をＺ軸方向プラス側から見た場合の平面図であり、図１０の（ｂ）は、当該構成をＸＺ平面に平行な面で切断した場合の断面図である。
【００９２】
図８に示すように、まず、蓄電素子１００に対して、保持部材３０を取り付ける（Ｓ１０２）。つまり、複数の蓄電素子１００を有する蓄電ユニット２０上に保持部材３０を載置して、複数の蓄電素子１００に対して保持部材３０を固定する。
【００９３】
次に、挿入工程として、サーミスタ５０を保持部材３０の開口部３１ａに挿入する（Ｓ１０４）。つまり、サーミスタ５０の第二係合部５２を、第二係合部５２の外形よりも大きい形状を有する保持部材３０の開口部３１ａに沿って挿入する。
【００９４】
具体的には、図９の（ａ）に示すように、まず、サーミスタ５０を保持部材３０のサーミスタ取付部Ａの上方に配置する。そして、図９の（ｂ）に示すように、サーミスタ５０の第二係合部５２を、保持部材３０のサーミスタ挿入部３１の開口部３１ａに沿って挿入する。つまり、上述の通り、開口部３１ａは、サーミスタ挿入部３１の外面３１ｂから内面３１ｃまでに亘って、第二係合部５２の外形に対応する形状を有しているため、サーミスタ５０をサーミスタ挿入部３１の開口部３１ａに挿入することができる。
【００９５】
次に、係合工程として、サーミスタ５０の第二係合部５２を保持部材３０の第一係合部３３に係合させる（Ｓ１０６）。つまり、サーミスタ５０の第二係合部５２を、保持部材３０の第一係合部３３と蓄電素子１００との間で、第一係合部３３に係合させる。
【００９６】
具体的には、図１０の（ａ）に示すように、まず、第二係合部５２が開口部３１ａの最も奥側の位置に到達するまで、つまり、第二係合部５２の底面が保持部材３０の内面３１ｃとほぼ同位置になるまで、サーミスタ５０を挿入する。また、この位置まで挿入することで、第二係合部５２は、蓄電素子１００の上面（容器１１０の蓋部の上面）に当接する。なお、この状態では、サーミスタ挿入部３１の内面３１ｃは、蓄電素子１００の上面に当接している。
【００９７】
そして、図１０の（ｂ）に示すように、サーミスタ５０を回転させることで、第二係合部５２を保持部材３０の開口部３１ａから案内部３４にスライドさせる。つまり、第二係合部５２は、蓄電素子１００と保持部材３０とで挟まれた状態で、蓄電素子１００の上面を摺動しながら案内部３４に移動する。
【００９８】
そして、図１０の（ｃ）に示すように、さらにサーミスタ５０を回転させることで、第二係合部５２を保持部材３０の案内部３４から第一係合部３３にスライドさせる。つまり、第二係合部５２は、蓄電素子１００と保持部材３０とで挟まれた状態で、蓄電素子１００の上面をさらに摺動しながら第一係合部３３まで移動する。この際、第二係合部５２は、案内部３４の傾斜面を滑るようにスライドするため、開口部３１ａから第一係合部３３まで円滑にサーミスタ５０を回転させることができる。
【００９９】
なお、図１０の（ｃ）の状態から、第二係合部５２が保持部材３０の開口部３１ａの位置にスライドするまで、さらにサーミスタ５０を回転させることで、サーミスタ５０を保持部材３０から取り外すことができる。
【０１００】
このようにして、図１１に示すように、サーミスタ５０の第二係合部５２が、保持部材３０の第一係合部３３と蓄電素子１００との間で、第一係合部３３と係合（本実施の形態では嵌合）する。つまり、図１１の（ａ）に示すように、第二係合部５２は、保持部材３０の開口部３１ａの形状を、サーミスタ５０の中心軸まわりに回転した位置に配置される。同図では、第二係合部５２は、開口部３１ａの形状を当該中心軸まわりに約４５°回転した位置に配置されている。
【０１０１】
また、第二係合部５２は、開口部３１ａから第一係合部３３まで移動する際に、蓄電素子１００の上面に当接した状態で案内部３４の傾斜面をスライドするため、サーミスタ挿入部３１を上方へ押し上げる。つまり、第二係合部５２が案内部３４の傾斜面をスライドしていくことで、サーミスタ挿入部３１の内面３１ｃが蓄電素子１００の上面から離れていく。このため、付勢部３２によって、サーミスタ挿入部３１を下方へ押し下げる力が生じ、サーミスタ５０が蓄電素子１００に向けて付勢される。
【０１０２】
以上のように、本発明の実施の形態に係る蓄電装置１によれば、保持部材３０には、サーミスタ挿入部３１の外面３１ｂからサーミスタ５０の第二係合部５２が配置される位置までに亘って、第二係合部５２の外形よりも大きい形状を有する開口部３１ａが形成されている。このため、蓄電素子１００に対して保持部材３０が取り付けられた後でも、保持部材３０の開口部３１ａにサーミスタ５０を挿入して、保持部材３０の第一係合部３３とサーミスタ５０の第二係合部５２とを係合させることで、サーミスタ５０を保持部材３０に取り付けることができる。また、保持部材３０の開口部３１ａからサーミスタ５０を引き抜くことで、保持部材３０を蓄電素子１００から取り外すことなく、保持部材３０からサーミスタ５０を取り外すことができる。このように、蓄電装置１において、サーミスタ５０の取り付け及び取り外しの自由度を向上させることができる。
【０１０３】
また、サーミスタ５０の第二係合部５２は、保持部材３０の開口部３１ａの形状をサーミスタ５０の中心軸まわりに回転した位置に配置されている。つまり、サーミスタ５０の第二係合部５２を保持部材３０の開口部３１ａに挿入して、サーミスタ５０を回転させることで、第一係合部３３と第二係合部５２とを係合させることができている。
【０１０４】
また、付勢部３２によってサーミスタ５０を蓄電素子１００に向けて付勢することで、蓄電素子１００に対してサーミスタ５０を確実に取り付けることができる。
【０１０５】
また、保持部材３０の第一係合部３３の凹部に、サーミスタ５０の第二係合部５２が嵌ることで、サーミスタ５０を保持部材３０に対して容易に位置決めすることができる。
【０１０６】
また、保持部材３０は、第一係合部３３と開口部３１ａとの間に形成され、開口部３１ａと接続された凹部である案内部３４を有している。このため、サーミスタ５０の第二係合部５２を、保持部材３０の開口部３１ａから案内部３４にスライドさせた後に、第一係合部３３まで移動させることで、容易に、第二係合部５２を第一係合部３３に導くことができる。
【０１０７】
また、保持部材３０の案内部３４は傾斜面を有しているため、サーミスタ５０の第二係合部５２を当該傾斜面に沿ってスライドさせることで、容易に、第二係合部５２を第一係合部３３に導くことができる。
【０１０８】
また、本発明の実施の形態に係る蓄電装置１の製造方法によれば、蓄電素子１００に対して保持部材３０を取り付けた後に、サーミスタ５０の第二係合部５２を、第二係合部５２の外形よりも大きい形状を有する保持部材３０の開口部３１ａに沿って挿入し、第二係合部５２を保持部材３０の第一係合部３３に係合させる。つまり、蓄電素子１００に対して保持部材３０が取り付けられた後でも、保持部材３０の開口部３１ａにサーミスタ５０を挿入して、保持部材３０の第一係合部３３とサーミスタ５０の第二係合部５２とを係合させることで、サーミスタ５０を保持部材３０に取り付けることができる。また、サーミスタ５０を保持部材３０への取り付けと逆の順序で取り外すことで、保持部材３０を蓄電素子１００から取り外すことなく、保持部材３０からサーミスタ５０を取り外すことができる。このように、蓄電装置１において、サーミスタ５０の取り付け及び取り外しの自由度を向上させることができる。
【０１０９】
（変形例１）
次に、上記実施の形態の変形例１について、説明する。上記実施の形態では、第二係合部５２は、サーミスタ５０の下端部に配置されていることとした。しかし、本変形例では、第二係合部は、サーミスタの下端部よりも上方に配置されている。
【０１１０】
図１２は、本発明の実施の形態の変形例１に係るサーミスタ５０ａが保持部材３０に取り付けられた状態での構成を示す図である。具体的には、同図は、上記実施の形態における図１１に対応する図である。
【０１１１】
図１２に示すように、サーミスタ５０ａは、下端部よりも上方に、第二係合部５２ａを有している。つまり、保持部材３０は、サーミスタ挿入部３１の中央部に第一係合部３３ａを有しており、サーミスタ５０ａは、第一係合部３３ａと対応する位置に、第二係合部５２ａを有している。
【０１１２】
ここで、サーミスタ挿入部３１に形成された開口部３１ａは、保持部材３０の外面から第二係合部５２ａが配置される位置までに亘って、第二係合部５２ａの外形よりも大きい形状を有している。具体的には、開口部３１ａは、サーミスタ挿入部３１の外面３１ｂから第二係合部５２ａが配置される位置までに亘って、第二係合部５２ａの外形に対応する形状を有している。これにより、サーミスタ５０ａを保持部材３０の開口部３１ａに挿入することができ、サーミスタ５０ａを挿入後に回転することで、第二係合部５２ａを第一係合部３３ａと係合させることができる。また、保持部材３０における開口部３１ａから第一係合部３３ａまでの経路を上記実施の形態と同様に構成することで、サーミスタ５０ａを蓄電素子１００に向けて付勢することもできる。
【０１１３】
以上のように、本発明の実施の形態の変形例１に係る蓄電装置によれば、上記実施の形態と同様の効果を奏することができる。特に、サーミスタ５０ａにおいて、第二係合部５２ａの配置位置を自由に決めることができるため、生産しやすい形状を採用することができ、蓄電装置の生産性の向上を図ることができる。
【０１１４】
（変形例２）
次に、上記実施の形態の変形例２について、説明する。上記実施の形態では、サーミスタ５０に突出部が形成されることで、第二係合部５２が形成されることとした。しかし、本変形例では、サーミスタに凹部が形成されることで、第二係合部が形成される。
【０１１５】
図１３は、本発明の実施の形態の変形例２に係るサーミスタ５０ｂが保持部材３０に取り付けられた状態での構成を示す図である。具体的には、同図は、上記実施の形態における図１１に対応する図である。
【０１１６】
図１３に示すように、サーミスタ５０ｂは、外周に凹部が形成されており、当該凹部の下方に第二係合部５２ｂを有している。具体的には、サーミスタ５０ｂは、上記変形例１におけるサーミスタ５０ａの第二係合部５２ａが上下方向に端部まで延び、かつ、第二係合部５２ａが配置されている位置に凹部が形成されたような構造を有している。つまり、サーミスタ５０ｂは、上方（Ｚ軸方向プラス側）から見た場合には上記変形例１におけるサーミスタ５０ａと同様の外形を有しているが、第二係合部のＺ軸方向の位置及び長さが異なる（図１３の（ｂ）のサーミスタ５０ｂ中の点線は、第二係合部５２ｂの根元（円筒形状の柱部の外周）を示している）。また、保持部材３０は、サーミスタ５０ｂの当該凹部の位置に、内方に向けて突出した突出部である第一係合部３３ｂを有している。
【０１１７】
つまり、サーミスタ５０ｂは、上記変形例１におけるサーミスタ５０ａに形成された突出部の位置に凹部が形成され、保持部材３０は、上記変形例１における保持部材３０に形成された凹部の位置に突出部が形成されている。このように、サーミスタ５０ｂ及び保持部材３０は、上記変形例１におけるサーミスタ５０ａ及び保持部材３０の突出部と凹部との関係が逆になったような構成を有している。
【０１１８】
ここで、サーミスタ挿入部３１に形成された開口部３１ａは、保持部材３０の外面から第二係合部５２ｂが配置される位置までに亘って、第二係合部５２ｂの外形よりも大きい形状を有している。具体的には、開口部３１ａは、サーミスタ挿入部３１の外面３１ｂから内面３１ｃまでに亘って、第二係合部５２ｂの外形に対応する形状を有している。
【０１１９】
これにより、サーミスタ５０ｂを保持部材３０の開口部３１ａに挿入することができ、サーミスタ５０ｂを挿入後に回転することで、第二係合部５２ｂを第一係合部３３ｂと係合させることができる。また、保持部材３０における開口部３１ａから第一係合部３３ｂまでの経路を上記実施の形態と同様に構成することで、サーミスタ５０ｂを蓄電素子１００に向けて付勢することもできる。
【０１２０】
以上のように、本発明の実施の形態の変形例２に係る蓄電装置によれば、上記実施の形態と同様の効果を奏することができる。特に、サーミスタ５０ｂにおいて、凹部を形成すれば第二係合部５２ｂを形成できるため、生産しやすい形状を採用することができ、蓄電装置の生産性の向上を図ることができる。
【０１２１】
以上、本発明の実施の形態及びその変形例に係る蓄電装置について説明したが、本発明は、上記実施の形態及びその変形例に限定されるものではない。つまり、今回開示された実施の形態及びその変形例は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。また、上記実施の形態及びその変形例が備える各構成要素を任意に組み合わせて構築される形態も、本発明の範囲内に含まれる。
【０１２２】
例えば、上記実施の形態及びその変形例では、蓄電装置は、サーミスタを備えており、サーミスタは保持部材３０に取り付けられることで、蓄電素子１００に対して固定されることとした。しかし、蓄電装置は、白金測温抵抗体などのサーミスタ以外の温度センサ、または、電圧や電流を検出するセンサなど温度センサ以外のセンサを備えており、当該センサがサーミスタと同じ構成及び方法によって保持部材３０に取り付けられることにしてもよい。
【０１２３】
また、上記実施の形態及びその変形例では、保持部材３０は、バスバー４１、４２を保持することとした。しかし、保持部材３０は、バスバー４１、４２を保持する機能を有していなくともよいし、バスバー４１、４２以外の部材を保持する機能を有していてもよい。
【０１２４】
また、上記実施の形態及びその変形例では、サーミスタの第二係合部は、保持部材３０の開口部３１ａの形状を回転した位置に配置されることとした。つまり、第二係合部を回転させて保持部材３０の第一係合部に係合させることとした。しかし、第二係合部を一方向にスライドさせて第一係合部に係合させる構成でもかまわない。
【０１２５】
また、上記実施の形態及びその変形例では、保持部材３０の開口部３１ａは、サーミスタの第二係合部の外形に対応する形状を有していることとした。しかし、開口部３１ａは、第二係合部の外形よりも大きい形状であればよい。
【０１２６】
また、上記実施の形態及びその変形例では、保持部材３０は、例えば図７で説明した構成の付勢部３２を有していることとした。しかし、付勢部３２の構成は、サーミスタを蓄電素子１００に向けて付勢する構成であれば、上記の図７のような構成には限定されない。例えば、付勢部３２は、スプリング（バネ）や板バネのような弾性部材によって構成されていてもよいし、ゴムのような弾性を有する材質によって形成されていてもよい。
【０１２７】
また、上記実施の形態及びその変形例では、保持部材３０が、サーミスタを蓄電素子１００に向けて付勢する付勢部３２を有していることとしたが、サーミスタが付勢部を有しており、当該付勢部によってサーミスタを蓄電素子１００に向けて付勢する構成でもかまわない。
【０１２８】
また、上記実施の形態及びその変形例では、保持部材３０の第一係合部は凹部であることとしたが、第一係合部は平面状の部位であってもかまわない。
【０１２９】
また、上記実施の形態及びその変形例では、保持部材３０の案内部３４は傾斜面を有していることとしたが、案内部３４は傾斜面ではなく階段状の形状を有していてもかまわない。
【０１３０】
また、本発明は、このような蓄電装置として実現することができるだけでなく、当該蓄電装置が備えるサーミスタ等のセンサ及び保持部材３０としても実現することができる。
【産業上の利用可能性】
【０１３１】
本発明は、蓄電素子と、当該蓄電素子に対して取り付けられるセンサとを備えた蓄電装置等に適用できる。
【符号の説明】
【０１３２】
１  蓄電装置
１０  外装体
１１  第一外装体
１２  第二外装体
１３  正極外部端子
１４  負極外部端子
２０  蓄電ユニット
３０  保持部材
３０ａ  上面
３０ｂ  下面
３１  サーミスタ挿入部
３１ａ  開口部
３１ｂ  外面
３１ｃ  内面
３２  付勢部
３３、３３ａ、３３ｂ  第一係合部
３４  案内部
４１、４２  バスバー
５０、５０ａ、５０ｂ  サーミスタ
５１  柱部
５２、５２ａ、５２ｂ  第二係合部
５３  リード線
１００  蓄電素子
１１０  容器
１２０  正極端子
１３０  負極端子
２００  バスバー
３００、３１０、３２０  スペーサ
４００  挟持部材
５００  拘束部材
６００  バスバーフレーム
６１０  バスバー用開口部
６２０  サーミスタ用開口部
７００  遮熱プレート
【図１】
2017059503.tif 000003
【図２】
2017059503.tif 000004
【図３】
2017059503.tif 000005
【図４】
2017059503.tif 000006
【図５】
2017059503.tif 000007
【図６Ａ】
2017059503.tif 000008
【図６Ｂ】
2017059503.tif 000009
【図７】
2017059503.tif 000010
【図８】
2017059503.tif 000011
【図９】
2017059503.tif 000012
【図１０】
2017059503.tif 000013
【図１１】
2017059503.tif 000014
【図１２】
2017059503.tif 000015
【図１３】
2017059503.tif 000016